(57)【特許請求の範囲】
【請求項１】
遮断器の開閉部の開閉動作を行う液圧操作装置であって、
駆動シリンダと、この駆動シリンダ内に摺動自在に挿入された駆動ピストンと、この駆動ピストンと前記遮断器の開閉部とを連結させる駆動ロッドと、前記駆動ピストンを隔壁として前記駆動シリンダ内の前記駆動ロッド側とその反対側とにそれぞれ形成される第１の液室及び第２の液室と、前記第２の液室における圧力流体の供給と排出とを選択的に行って液室内の液圧を制御する液圧制御部と、
前記第１の液室に対して高圧液を作用させるアキュムレータと、
シリンダ部を有するケースと、前記アキュムレータからの高圧液を前記ケースに取り込む高圧流路と、前記ケースのシリンダ部に摺動自在に挿入され、前記アキュムレータからの高圧液の作用を受けるピストン部を備えたロッドと、前記ロッドを前記ピストンが高圧液の作用を受ける方向とは反対の方向に付勢するばねと、前記ロッドの変位を検出する変位スイッチとを備えた液圧モニタが設けられた液圧操作装置において、
正常な液圧の範囲を示す目盛りを有する目盛り板と、この目盛り板に軸受けを介して回転自在に取り付けられた指示板と、この指示板の一端に取り付けられた板と、この板に設けられた結合部と、この結合部と前記液圧モニタのロッドとを連結させる連結部材とを備えた液圧ゲージを配設し、
前記液圧ゲージにおいて、前記連結部材をワイヤから構成し、前記指示板を前記ワイヤの引張り方向とは逆方向に牽引または押圧するばねを設けたことを特徴とする液圧操作装置。
【請求項２】
遮断器の開閉部の開閉動作を行う液圧操作装置であって、
駆動シリンダと、この駆動シリンダ内に摺動自在に挿入された駆動ピストンと、この駆動ピストンと前記遮断器の開閉部とを連結させる駆動ロッドと、前記駆動ピストンを隔壁として前記駆動シリンダ内の前記駆動ロッド側とその反対側とにそれぞれ形成される第１の液室及び第２の液室と、前記第２の液室における圧力流体の供給と排出とを選択的に行って液室内の液圧を制御する液圧制御部と、
前記第１の液室に対して高圧液を作用させるアキュムレータと、
シリンダ部を有するケースと、前記アキュムレータからの高圧液を前記ケースに取り込む高圧流路と、前記ケースのシリンダ部に摺動自在に挿入され、前記アキュムレータからの高圧液の作用を受けるピストン部を備えたロッドと、前記ロッドを前記ピストンが高圧液の作用を受ける方向とは反対の方向に付勢するばねと、前記ロッドの変位を検出する変位スイッチとを備えた液圧モニタが設けられた液圧操作装置において、
正常な液圧の範囲を示す目盛りを有する目盛り板と、この目盛り板に軸受けを介して回転自在に取り付けられた指示板と、この指示板の一端に取り付けられた板と、この板に設けられた結合部と、この結合部と前記液圧モニタのロッドとを連結させる連結部材とを備えた液圧ゲージを配設し、
前記液圧ゲージにおいて、前記連結部材を第１のばねから構成し、前記指示板を前記第１のばねの引張り方向とは逆方向に牽引または押圧する第２のばねを設け、前記指示板が前記目盛り板に設けられた目盛りの原点以下に回転できないようにストッパーを設けたことを特徴とする液圧操作装置。
【請求項３】
遮断器の開閉部の開閉動作を行う液圧操作装置であって、
駆動シリンダと、この駆動シリンダ内に摺動自在に挿入された駆動ピストンと、この駆動ピストンと前記遮断器の開閉部とを連結させる駆動ロッドと、前記駆動ピストンを隔壁として前記駆動シリンダ内の前記駆動ロッド側とその反対側とにそれぞれ形成される第１の液室及び第２の液室と、前記第２の液室における圧力流体の供給と排出とを選択的に行って液室内の液圧を制御する液圧制御部と、
前記第１の液室に対して高圧液を作用させるアキュムレータと、
高圧流路を介して前記アキュムレータから取り込まれた高圧液の作用により変位する可動部と、前記可動部の変位を検出する変位スイッチと、前記高圧流路と連通可能な低圧流路と、前記高圧流路を流れる高圧液の液圧が所定の設定値を越えた時に高圧流路と低圧流路とを連通させて高圧液を高圧流路から低圧流路へと放出する安全弁と、高圧流路と低圧流路とを連通させて高圧液の液圧を低下させる止め弁からなる液圧モニタを備えた液圧操作装置において、
前記液圧モニタの高圧流路に、絞りと、この絞りと並列に前記アキュムレータから液圧モニタ側にのみ流通可能な逆止弁を設け、
前記液圧モニタの高圧流路に接続されて形成された試験ポートと、この試験ポートを封止するシール材を備え、
前記試験ポートに、この試験ポートと前記高圧流路とを連通または封止させて、試験ポートへの高圧液の供給の有無を選択する止め弁を設けたことを特徴とする液圧操作装置。
【請求項４】
遮断器の開閉部の開閉動作を行う液圧操作装置であって、
駆動シリンダと、この駆動シリンダ内に摺動自在に挿入された駆動ピストンと、この駆動ピストンと前記遮断器の開閉部とを連結させる駆動ロッドと、前記駆動ピストンを隔壁として前記駆動シリンダ内の前記駆動ロッド側とその反対側とにそれぞれ形成される第１の液室及び第２の液室と、前記第２の液室における圧力流体の供給と排出とを選択的に行って液室内の液圧を制御する液圧制御部と、
前記第１の液室に対して高圧液を作用させるアキュムレータと、
高圧流路を介して前記アキュムレータから取り込まれた高圧液の作用により変位する可動部と、前記可動部の変位を検出する変位スイッチと、前記高圧流路と連通可能な低圧流路と、前記高圧流路を流れる高圧液の液圧が所定の設定値を越えた時に高圧流路と低圧流路とを連通させて高圧液を高圧流路から低圧流路へと放出する安全弁と、高圧流路と低圧流路とを連通させて高圧液の液圧を低下させる止め弁からなる液圧モニタを備えた液圧操作装置において、
前記液圧モニタの高圧流路に、絞りと、この絞りと並列に前記アキュムレータから液圧モニタ側にのみ流通可能な逆止弁を設け、
前記液圧モニタの高圧流路に接続されて形成された試験ポートと、この試験ポートを封止するシール材を備え、
前記試験ポートに、所定の流量を有する絞りを設けたことを特徴とする液圧操作装置。
【請求項５】
前記絞りが、流量可変絞りであることを特徴とする請求項３又は４に記載の液圧操作装置。
【請求項６】
前記高圧流路に設けられた絞りと逆止弁が、一体に構成されていることを特徴とする請求項３又は４に記載の液圧操作装置。
【発明の詳細な説明】
【０００１】
【発明の属する技術分野】
本発明は、遮断器の開路動作及び閉路動作を行う液圧操作装置に関するものである。
【０００２】
【従来の技術】
電力需要が増大傾向にある近年、送電系統の大容量化並びに超々高圧化が着々と進んでおり、これに伴って送電系統に採用される遮断器としてはＳＦ6ガス絶縁によるガス遮断器が主流を占めるに至っている。ところで、遮断器の開閉動作を行う場合、駆動源に流体を利用した操作装置が広く知られている。このうち、気体（圧縮空気）を駆動源とした操作装置では、送電系統の大容量化や超々高圧化に伴って駆動力が著しく大きくなるため、空気シリンダや空気タンク等の設備が大型化することがある。また、操作時の給排気音も大きいので、消音装置が必要となり、設備が複雑化しやすいといった欠点がある。
【０００３】
これに対して、駆動源に気体ではなく液体を使用した操作装置（いわゆる液圧操作装置）は、次のような利点を有している。まず、液体は気体に比べて高圧・大出力化が容易であるため、装置の小型化が容易である。また、操作時の給排気音がないため、操作時の騒音を著しく軽減させることができる。さらに、液体の非圧縮性により応答性に優れている。以上のような利点を有する液圧操作装置は、大容量化並びに超々高圧化した遮断器に対する駆動源として有望視されており、なお一層の性能向上が要求されている。
【０００４】
ここで、図１２乃至図１５を参照して液圧操作装置の従来例について具体的に説明する。なお、図１２は従来の液圧操作装置の構成例を示した図であり、図１３は図１２の矢印Ｙ方向から見た矢視図、図１４は図１２の矢印Ｘ方向から見た矢視図である。また図１５は液圧モニタの断面図である。
【０００５】
図１２に示したように、遮断器の開閉部１は固定電極２と可動電極３とから構成され、可動電極３が液圧操作装置１０の駆動部２０に接続されている。また、液圧操作装置１０の駆動部２０は、駆動シリンダ２１と、その内部に摺動可能に挿入された駆動ピストン２２、及びこの駆動ピストン２２と遮断器側の可動電極３とを連結する駆動ロッド２３から構成されている。そして、この駆動シリンダ２１内の空間には、駆動ピストン２２を駆動する隔壁として、駆動ロッド２３側（可動電極３側）とその反対側に、第１の液室２４と第２の液室２５とがそれぞれ形成されている。また、第２の液室２５には、シリンダブロック２６を介して、液圧制御部３０が接続されている。
【０００６】
液圧制御部３０は、第２の液室２５における作動液（圧力流体）の供給と排出とを選択的に行って第２の液室２５内の液圧を制御する手段であり、図１３に示すように、作動液の給排を制御する電磁弁３０１と、この電磁弁３０１を駆動するためのソレノイド３０２が設けられてる。ただし、増幅弁として切換弁を使用する場合もある。なお、この液圧制御部３０と第２の液室２５との間は流路２７によって接続されている。
【０００７】
一方、第１の液室２４には、第１の液室２４に対して高圧液を常時作用させるアキュムレータ（蓄圧装置）４００が、流路４０１を介して接続されている。なお、このアキュムレータ４００は、シリンダブロック２６に取付けられている。また、図１４に示したように、シリンダブロック２６にはポンプユニット５００が取付けられている。このポンプユニット５００は、前記液圧制御部３０からの排液によって高圧の作動液を発生させてアキュムレータ４００に供給するために設けられ、流路５０１を介して前記流路４０１に接続されている。また、低圧タンク５０２には、流路５０３を介して前記液圧制御部３０により第２の液室２５から排出される排液が回収され、低圧の作動液を蓄積するように構成されている。
【０００８】
また、液圧モニタ６０は、アキュムレータ４００内の高圧液の液圧を監視する圧力監視部であり、図１５に示したように、シリンダブロック２６に高圧流路６３及び低圧流路６８を介して取付けられている。すなわち、液圧モニタ６０においては、ケース６１内に配設されたシリンダ部６１ａに、ピストン部６２ａを持つロッド６２が摺動自在に挿入されている。また、アキュムレータ４００からの高圧液をケース６１に取り込む高圧流路６３が設けられ、常にアキュムレータ４００からの高圧液を前記ピストン部６２ａに作用させている。
【０００９】
また、前記ロッド６２は、ばね６４により、前記ピストン部６２ａが高圧液の作用を受ける方向とは反対の方向に付勢されており、ピストン部６２ａで受ける液圧とばね６４の圧縮力に応じて変位するようになっている。また、前記ロッド６２には、ピストン部６２ａと反対側の端部６２ｂに、板６５が取付けられており、この板６５に複数個の調整ねじ６６が設けられている。そして、この調整ねじ６６に近接して、調整ねじ６６の変位を検出するための変位スイッチ６７がケース６１に取付けられている。
【００１０】
さらに、ケース６１には、前記高圧流路６３に連通可能な低圧流路６８が形成されている。なお、この低圧流路６８は、低圧タンク５０２へと接続されている。また、高圧流路６３と低圧流路６８との間には、安全弁６９及び止め弁７０が設置され、ケース６１には調整ねじ７２が取付けられており、この調整ねじ７２には前記安全弁６９に接するシート部７２ａが設けられている。また、前記安全弁６９と前記ピストン部６２ａの間には、その軸方向にギャップが設けられており、このギャップ内にはばね６９ａが配設されている。そして、高圧流路６３からピストン６２ａ内部に導かれる高圧液と前記ばね６９ａの作用により、安全弁６９が調整ねじ７２のシート部７２ａに接して封止するように構成されている。
【００１１】
なお、安全弁６９は、高圧流路６３を流れる高圧液の液圧が所定の設定値を超えた時、高圧流路６３と低圧流路６８とを連通させて、高圧液を高圧流路６３から低圧流路６８へと放出させるためのものである。また、止め弁７０は、高圧流路６３と低圧流路６８とを連通させて、高圧液の液圧を低下させるためのものである。
【００１２】
また、図１２に示したように、アキュムレータ４００内の液圧を目視できるよう、シリンダブロック２６には、流路７０１を介して圧力計７００が取付けられている。この圧力計７００としては、主にブルドン管方式のものが使用されている。
【００１３】
このように、従来の液圧操作装置においては、駆動部２０、液圧制御部３０、アキュムレータ４００、ポンプユニット５００、液圧モニタ６０、圧力計７００等の各構成部がシリンダブロック２６を介して一体的に構成されているため、配管によって各構成部間を接続する必要はなく、小型化が進められている。
【００１４】
【発明が解決しようとする課題】
しかしながら、上述したような従来の液圧操作装置には、次のような問題点があった。すなわち、液圧操作装置１０は、駆動部２０、液圧制御部３０、アキュムレータ４００、ポンプユニット５００、液圧モニタ６０、圧力計７００等がシリンダブロック２６を介して一体的に構成されており、配管がない構造となっている。そのため、液圧の急峻な変動を吸収することができず、液圧モニタ６０が遮断器の開閉動作による液圧の変動の影響を受けやすく、開路動作時に液圧がサージ的に降下したり、閉路動作時に液圧がサージ的に上昇することがあると、その急峻な液圧変動に反応して変位スイッチ６７が動作してしまうという問題点があった。
【００１５】
また、液圧操作装置１０の液圧を目視するための圧力計７００として、ブルドン管等を用いた高価なものが使用されていたが、通常の遮断器の運用では液圧が正常な範囲にあるか否かが問題であり、実際に液圧がいくらであるかまでは必要ないことが多い。そういった場合にも高価な圧力計を取付けていたため、コストが増大するといった問題があった。
【００１６】
本発明は、上述したような従来技術の問題点を解消するために提案されたものであり、その目的は、簡単な構造で、安定した動作が可能な、信頼性が高く安価な液圧操作装置を提供することにある。
【００１７】
【課題を解決するための手段】
上記目的を達成するため、請求項１に記載の発明は、遮断器の開閉部の開閉動作を行う液圧操作装置であって、駆動シリンダと、この駆動シリンダ内に摺動自在に挿入された駆動ピストンと、この駆動ピストンと前記遮断器の開閉部とを連結させる駆動ロッドと、前記駆動ピストンを隔壁として前記駆動シリンダ内の前記駆動ロッド側とその反対側とにそれぞれ形成される第１の液室及び第２の液室と、前記第２の液室における圧力流体の供給と排出とを選択的に行って液室内の液圧を制御する液圧制御部と、前記第１の液室に対して高圧液を作用させるアキュムレータと、シリンダ部を有するケースと、前記アキュムレータからの高圧液を前記ケースに取り込む高圧流路と、前記ケースのシリンダ部に摺動自在に挿入され、前記アキュムレータからの高圧液の作用を受けるピストン部を備えたロッドと、前記ロッドを前記ピストンが高圧液の作用を受ける方向とは反対の方向に付勢するばねと、前記ロッドの変位を検出する変位スイッチとを備えた液圧モニタが設けられた液圧操作装置において、正常な液圧の範囲を示す目盛りを有する目盛り板と、この目盛り板に軸受けを介して回転自在に取り付けられた指示板と、この指示板の一端に取り付けられた板と、この板に設けられた結合部と、この結合部と前記液圧モニタのロッドとを連結させる連結部材とを備えた液圧ゲージを配設し、前記液圧ゲージにおいて、前記連結部材をワイヤから構成し、前記指示板を前記ワイヤの引張り方向とは逆方向に牽引または押圧するばねを設けたことを特徴とする。
【００１８】
上記のような構成を有する請求項１に記載の発明によれば、液圧ゲージの指示板の目盛りに対する位置を、ワイヤの長さを調整することにより容易に微調整することが可能になるので、作業性が大幅に向上する。
【００１９】
請求項２に記載の発明は、遮断器の開閉部の開閉動作を行う液圧操作装置であって、駆動シリンダと、この駆動シリンダ内に摺動自在に挿入された駆動ピストンと、この駆動ピストンと前記遮断器の開閉部とを連結させる駆動ロッドと、前記駆動ピストンを隔壁として前記駆動シリンダ内の前記駆動ロッド側とその反対側とにそれぞれ形成される第１の液室及び第２の液室と、前記第２の液室における圧力流体の供給と排出とを選択的に行って液室内の液圧を制御する液圧制御部と、前記第１の液室に対して高圧液を作用させるアキュムレータと、シリンダ部を有するケースと、前記アキュムレータからの高圧液を前記ケースに取り込む高圧流路と、前記ケースのシリンダ部に摺動自在に挿入され、前記アキュムレータからの高圧液の作用を受けるピストン部を備えたロッドと、前記ロッドを前記ピストンが高圧液の作用を受ける方向とは反対の方向に付勢するばねと、前記ロッドの変位を検出する変位スイッチとを備えた液圧モニタが設けられた液圧操作装置において、正常な液圧の範囲を示す目盛りを有する目盛り板と、この目盛り板に軸受けを介して回転自在に取り付けられた指示板と、この指示板の一端に取り付けられた板と、この板に設けられた結合部と、この結合部と前記液圧モニタのロッドとを連結させる連結部材とを備えた液圧ゲージを配設し、前記液圧ゲージにおいて、前記連結部材を第１のばねから構成し、前記指示板を前記第１のばねの引張り方向とは逆方向に牽引または押圧する第２のばねを設け、前記指示板が前記目盛り板に設けられた目盛りの原点以下に回転できないようにストッパーを設けたことを特徴とする。上記のような構成を有する請求項２に記載の発明によれば、液圧モニタのロッドが液圧の脈動等により微少に振動しても、第１のばねの緩衝作用により、液圧ゲージの指示板へはロッドの振動が伝わらないので、指示板の目視性が大幅に向上する。
【００２１】
請求項３に記載の発明は、遮断器の開閉部の開閉動作を行う液圧操作装置であって、駆動シリンダと、この駆動シリンダ内に摺動自在に挿入された駆動ピストンと、この駆動ピストンと前記遮断器の開閉部とを連結させる駆動ロッドと、前記駆動ピストンを隔壁として前記駆動シリンダ内の前記駆動ロッド側とその反対側とにそれぞれ形成される第１の液室及び第２の液室と、前記第２の液室における圧力流体の供給と排出とを選択的に行って液室内の液圧を制御する液圧制御部と、前記第１の液室に対して高圧液を作用させるアキュムレータと、高圧流路を介して前記アキュムレータから取り込まれた高圧液の作用により変位する可動部と、前記可動部の変位を検出する変位スイッチと、前記高圧流路と連通可能な低圧流路と、前記高圧流路を流れる高圧液の液圧が所定の設定値を越えた時に高圧流路と低圧流路とを連通させて高圧液を高圧流路から低圧流路へと放出する安全弁と、高圧流路と低圧流路とを連通させて高圧液の液圧を低下させる止め弁からなる液圧モニタを備えた液圧操作装置において、前記液圧モニタの高圧流路に、絞りと、この絞りと並列に前記アキュムレータから液圧モニタ側にのみ流通可能な逆止弁を設け、前記液圧モニタの高圧流路に接続されて形成された試験ポートと、この試験ポートを封止するシール材を備え、前記試験ポートに、この試験ポートと前記高圧流路とを連通または封止させて、試験ポートへの高圧液の供給の有無を選択する止め弁を設けたことを特徴とする。
【００２２】
上記のような構成を有する請求項３に記載の発明によれば、液圧操作装置の液圧の測定が必要になった場合には、前記試験ポートに圧力計を接続することにより、容易に液圧の測定が可能となる。また、液圧操作装置の高圧液の液圧を測定する圧力計を接続する時、前記止め弁を操作することにより、液圧を高圧に保ったまま、圧力計の取り付け・取り外しが可能となるので、作業性が大幅に向上する。
【００２３】
請求項４に記載の発明は、遮断器の開閉部の開閉動作を行う液圧操作装置であって、駆動シリンダと、この駆動シリンダ内に摺動自在に挿入された駆動ピストンと、この駆動ピストンと前記遮断器の開閉部とを連結させる駆動ロッドと、前記駆動ピストンを隔壁として前記駆動シリンダ内の前記駆動ロッド側とその反対側とにそれぞれ形成される第１の液室及び第２の液室と、前記第２の液室における圧力流体の供給と排出とを選択的に行って液室内の液圧を制御する液圧制御部と、前記第１の液室に対して高圧液を作用させるアキュムレータと、高圧流路を介して前記アキュムレータから取り込まれた高圧液の作用により変位する可動部と、前記可動部の変位を検出する変位スイッチと、前記高圧流路と連通可能な低圧流路と、前記高圧流路を流れる高圧液の液圧が所定の設定値を越えた時に高圧流路と低圧流路とを連通させて高圧液を高圧流路から低圧流路へと放出する安全弁と、高圧流路と低圧流路とを連通させて高圧液の液圧を低下させる止め弁からなる液圧モニタを備えた液圧操作装置において、前記液圧モニタの高圧流路に、絞りと、この絞りと並列に前記アキュムレータから液圧モニタ側にのみ流通可能な逆止弁を設け、前記液圧モニタの高圧流路に接続されて形成された試験ポートと、この試験ポートを封止するシール材を備え、前記試験ポートに、所定の流量を有する絞りを設けたことを特徴とする。
上記のような構成を有する請求項４に記載の発明によれば、液圧操作装置の液圧の測定が必要になった場合には、前記試験ポートに圧力計を接続することにより、容易に液圧の測定が可能となる。また、液圧操作装置の高圧液の液圧を測定する圧力計を接続する時、前記止め弁を操作することにより、液圧を高圧に保ったまま、圧力計の取り付け・取り外しが可能となるので、作業性が大幅に向上する。また、液圧を低下させれば、試験ポートを封止するシール材を取外しても、試験ポートに絞りが設けられており、しかもこの絞りは微量な流量しか持たないため、わずかしか液体が滲み出さない。従って、液圧を測定する圧力計を接続する時、低圧タンクの作動液を抜き取る必要がなく、高圧流路と低圧流路を連通させて液圧を低下させ、試験ポートを封止するシール材を取外すだけで、圧力計の取付け・取外しが可能となり、安価な構造で作業性が向上する。
【００２４】
請求項５に記載の発明は、請求項３又は請求項４記載の液圧操作装置において、前記絞りが、流量可変絞りであることを特徴とする。上記のような構成を有する請求項５に記載の発明によれば、同一の構造で、様々な機器におけるそれぞれの液圧の変動に対し、急峻な変動を吸収可能な液圧モニタを供給することができ、また、部品の共通化を図ることができるので、コスト削減に寄与することができる。
【００２５】
請求項６に記載の発明は、請求項３又は請求項４記載の液圧操作装置において、前記高圧流路に設けられた絞りと逆止弁が、一体に構成されていることを特徴とする。上記のような構成を有する請求項６に記載の発明によれば、逆止弁と絞りを一体とすることにより、機器の小型化を図ることができる。また、複雑な流路の加工を最小にすることにより、コスト削減に寄与することができる。
【００３２】
【発明の実施の形態】
以下、本発明に係る液圧操作装置の実施の形態（以下、実施形態という）について、図１乃至図１１を参照して具体的に説明する。なお、図１２乃至図１５に示した従来型と同一の部材には同一の符号を付して、説明は省略する。また、遮断器の開閉部の構成は一例であり、対向する電極が相対的に開閉可能であればよく、対向する２つの電極が共に移動する構成でも構わない。さらに、液圧操作装置の全体構成は一例であり、特に本構成に限定するものではない。
【００３３】
（１）第１実施形態
（構成）
図１及び図２は、本発明に係る液圧操作装置の第１実施形態の構成を示す図であって、図１は部分断面図、図２は図１の矢印Ｙ方向から見た矢視図である。
すなわち、本実施形態においては、図１に示したように、液圧モニタ６０の高圧流路６３にはバイパス流路６３ａが形成され、このバイパス流路６３ａには絞り７３が設けられている。また、高圧流路６３には、前記絞り７３と並列に、アキュムレータ４００側からピストン６２ａ側へのみ流通可能な逆止弁７４が設けられ、ばね７４ａによりシート部７４ｂに押圧されるように構成されている。なお、液圧モニタ６０の他の部分の構成は、図１５に示した従来型と同一であるので、説明は省略する。
【００３４】
また、本実施形態においては、図１及び図２に示したように、ケース６１に、ベース８１を介して液圧ゲージ部８０が取付けられている。また、このベース８１には目盛り板８２が取り付けられており、この目盛り板８２には、軸受け８３を介して指示板８４が回転自在に取り付けられている。さらに、この指示板８４には、一端に板８４ａが取り付けられ、この板８４ａに設けられた結合部８４ｂと、前記液圧モニタ６０のロッド６２に取付けられた板６５が連結棒８５により連結されている。なお、目盛り板８２には指示板８４を覆うように透明なカバー８６が取付けられている。
また、液圧モニタ６０の高圧流路６３には、試験ポート７５が接続されるように形成され、この試験ポート７５はケース外部へと導かれている。また、この試験ポート７５には、その開口部を封止するシール材７６が設けられている。
【００３５】
（作用・効果）
上記のように構成された本実施形態の液圧操作装置は、以下のように作用する。すなわち、液圧モニタ６０においては、ピストン部６２ａの変位量とばね６４の荷重特性に基づいて、アキュムレータ４００の蓄液室の液圧を常時監視することができる。より具体的には、蓄液室の液圧が低下して規定値以下になった場合に、変位スイッチ６７を動作させ、この変位スイッチ６７によって液圧制御部３０への信号や、ポンプユニット５００の運転、停止制御を行うことができる。
【００３６】
すなわち、アキュムレータ４００の蓄液室の液圧が降下した場合、高圧流路６３に設けられた逆止弁７４は、液圧の差及びばね７４ａの押圧力により高圧流路６３を封止するため、ピストン部６２ａに作用している液圧は、バイパス流路６３ａの絞り７３を通して徐々に降下することになる。その結果、遮断器の開閉動作等により、液圧がサージ的に降下した場合でも、絞り７３によりピストン部６２ａの液圧は安定しており、このサージ的な降下により変位スイッチ６７が誤動作するのを防止できる。
【００３７】
また、逆に、液圧が何らかの原因により異常上昇した場合には、逆止弁７４が連通状態となり、高圧液を速やかに安全弁６９に導くことができるので、液圧上昇を抑えることができる。また、止め弁７０を開き、高圧流路６３と低圧流路６８を連通させ、高圧液の液圧を低下させる場合も、前記逆止弁７４が開くため、速やかに高圧液の液圧を低下させることができる。
【００３８】
また、液圧ゲージ部８０においては、図２に示したように、液圧の変動により液圧モニタ６０のロッド６２が変位するのに伴い、連結棒８５により指示板８４が回転し、液圧の状態を指示板８４に設けられた指示部８４ｃにより目盛り板８２上に指示することができる。なお、目盛り板８２には液圧の正常範囲を示す目盛り８２ａが設けられている。従って、本実施形態においては、液圧が正常な状態にあるかどうかが容易に目視確認できる。
【００３９】
また、高圧液の液圧を正確に測定する必要がある場合には、試験ポート７５のシール材７６を取り外し、その開口部に所定の圧力計を接続することにより、高圧液の液圧を容易に測定することが可能となる。さらに、これらを組合わせることにより、安定した動作をする液圧モニタ及び液圧ゲージを提供できると共に、機器の小型化、集約化が可能となる。
【００４０】
（２）第２実施形態
本実施形態は、上記第１実施形態に変更を加えたものである。すなわち、本実施形態においては、図３に示したように、液圧モニタ６０の高圧流路６３には絞り弁７７が設けられており、アキュムレータ４００側とピストン部６２ａ側の高圧液の流量を調整できるように構成されている。
上記のように構成された本実施形態の液圧操作装置においては、液圧の変動の様相が異なる様々な機器に、同一の構造で対応することができるので、部品の共通化が図れる。
【００４１】
（３）第３実施形態
本実施形態は、上記第１実施形態に変更を加えたものである。すなわち、本実施形態においては、図４に示したように、液圧モニタ６０の高圧流路６３には、アキュムレータ４００側からピストン部６２ａ側へのみ流通可能な逆止弁７８が設けられ、この逆止弁７８に絞り流路７８ａが設けられており、ばね７４ａによりシート部７４ｂに押圧されている。
上記のように構成された本実施形態の液圧操作装置においては、機器の小型化を図ることができる。また複雑な流路の加工を最小にすることにより、コスト削減に寄与することができる。
【００４２】
（４）第４実施形態
本実施形態は、上記第１実施形態に示した液圧ゲージ部に変更を加えたものである。すなわち、本実施形態においては、図５に示したように、液圧ゲージ部８０の指示板８４に取付けられた板８４ａに、約９０度の間隔で２箇所の結合部８４ｂが設けられている。
上記のように構成された本実施形態の液圧操作装置においては、液圧操作装置１０を縦横どちらの状態で使用しても、構造を変えることなく、液圧ゲージ８０の向きを自在な方向に変えることができる。これにより、液圧ゲージ８０の目視性が向上すると共に、取付ける場所を選ばない汎用性のある液圧ゲージとすることができる。
【００４３】
（５）第５実施形態
本実施形態は、上記第１実施形態に示した液圧ゲージ部に変更を加えたものである。すなわち、本実施形態においては、図６に示したように、液圧ゲージ部８０の目盛り板８２の上面だけでなく、側面８２ｂにも目盛り８２ｃが設けられている。また、側面８２ｂの目盛り８２ｃに対応するよう、指示板８４に指示部８４ｄが設けられている。
上記のように構成された本実施形態の液圧操作装置においては、液圧ゲージを様々な角度から目視することができるので、液圧ゲージの目視性が向上すると共に、取付ける場所を選ばない汎用性のある液圧ゲージとすることができる。
【００４４】
（６）第６実施形態
本実施形態は、上記第１実施形態に示した液圧ゲージ部に変更を加えたものである。すなわち、本実施形態においては、図７に示したように、液圧ゲージ部８０の指示板８４とロッド６２とが、ワイヤ８７によって連結されている。さらに、指示板８４を常にワイヤ８７の引張り方向とは逆方向に牽引するようにばね８８が設けられており、ばね８８の一端は板８４ａに固定され、他端は目盛り板８２に固定されている。
【００４５】
上記のように構成された本実施形態の液圧操作装置においては、液圧ゲージ８０の指示板８４の目盛り８２ａに対する位置を、ワイヤ８７の長さを調整することにより容易に微調整することが可能になるので、作業性が向上すると共に、軽量化が可能となる。
【００４６】
（７）第７実施形態
本実施形態は、上記第１実施形態に示した液圧ゲージ部に変更を加えたものである。すなわち、本実施形態においては、図８に示したように、液圧ゲージ部８０の指示板８４とロッド６２とが、第１のばね８９により連結されている。さらに、指示板８４を常に第１のばね８９の引張り方向とは逆方向に牽引するように、第２のばね９０が設けられており、第２のばね９０の一端は板８４ａに固定され、他端は目盛り板８２に固定されている。また、指示板８４が目盛り板８２に設けられた目盛り８２ａの原点以下に回転できないように、ストッパー９１が設けられている。
【００４７】
上記のように構成された本実施形態の液圧操作装置においては、液圧モニタ８０のロッド６２が液圧の脈動等により微少に振動しても、第１のばね８９の緩衝作用により、液圧ゲージ８０の指示板８４へはロッド６２の振動が伝わらず、指示板８４の目視性が向上する。
【００４８】
（８）第８実施形態
本実施形態は、上記第１実施形態に示した液圧ゲージ部に変更を加えたものである。すなわち、本実施形態においては、図９に示したように、液圧ゲージ部８０の指示板８４とロッド６２を連結している連結棒８５の指示板８４側の端部に、ラック８５ａが形成されている。また、指示板８４の板８４ａには、ピニオンギア８４ｅが形成され、連結棒８５のラック８５ａと噛み合うように配置されている。さらに、連結棒８５には摺動部８５ｂが設けられ、目盛り板８２には、この摺動部８５ｂと嵌め合い摺動するようにガイド８２ｄが設けられている。
【００４９】
上記のように構成された本実施形態の液圧操作装置においては、液圧の変動によるロッド６２の直線的な変位を、正確に指示板８４の円運動に変換することができるので、精度の高い液圧ゲージを提供することができる。
【００５０】
（９）第９実施形態
本実施形態は、上記第３実施形態に示した試験ポート部に変更を加えたものである。すなわち、本実施形態においては、図１０に示したように、液圧モニタ６０の高圧流路６３に接続された試験ポート７５に止め弁９２が設けられている。この止め弁９２は、試験ポート７５と高圧流路６３とを連通または封止させることができるものであって、試験ポート７５への高圧液の供給の有無を選択することができるように構成されている。
【００５１】
上記のように構成された本実施形態の液圧操作装置においては、液圧操作装置の高圧液の液圧を測定する圧力計を接続する時には、液圧を高圧に保った状態でも、前記止め弁９０を締め、試験ポート７５側を無圧化した後、シール材７６を取り外し、圧力計を接続することができ、その後、前記止め弁９０を開くことによって液圧を測定することができる。一方、圧力計を取外す時は、取付ける時と逆の手順で行うことにより、液圧を高圧に保った状態で作業可能である。このように、本実施形態においては、液圧を高圧に保ったまま、圧力計の取り付け、取り外しができるので、作業性が大幅に向上する。
【００５２】
（１０）第１０実施形態
本実施形態は、上記第１実施形態に示した試験ポート部に変更を加えたものである。すなわち、本実施形態においては、図１１に示したように、液圧モニタ６０の高圧流路６３に接続された試験ポート７５に、微量な流量を持つ絞り７５ａが設けられている。
【００５３】
上記のように構成された本実施形態の液圧操作装置においては、試験ポート７５に絞り７５ａが設けられており、しかもこの絞り７５ａは微量な流量しか持たないため、液圧を低下させれば、試験ポート７５を封止するシール材７６を取外しても、極わずかしか液体が滲み出さない。従って、液圧を測定する圧力計を接続する時、低圧タンク５０２の作動液を抜き取る必要がなく、高圧流路６３と低圧流路６８を連通させて液圧を低下させ、試験ポート７５を封止するシール材７６を取外すだけで、圧力計の取付け、取外しが可能となるので、作業性が大幅に向上する。
【００５４】
【発明の効果】
以上説明したように、本発明によれば、簡単な構造で、安定した動作が可能な、信頼性が高く安価な液圧操作装置を提供することができる。
すなわち、請求項１乃至請求項３に記載の発明では、液圧モニタに高圧液を取り込む高圧流路に、絞りや逆止弁を設けたことにより、液圧の急峻な変動にも誤動作しない、安定した信頼性の高い液圧モニタを備えた液圧操作装置を提供することができる。
【００５５】
また、請求項４乃至９に記載の発明では、液圧ゲージに、液圧モニタのロッドの変位を利用した簡単な構造を採用したことにより、取付け方向を選ばない構造とすることが可能で、安価で目視性の良い液圧ゲージを備えた液圧操作機構を提供することができる。
【００５６】
さらに、請求項１０乃至１２に記載の発明では、液圧モニタの高圧流路に接続された試験ポートが設けられており、容易に圧力計等の取付けが可能となり、液圧ゲージと組合せて、安価な作業性の良い液圧操作機構を提供することができる。また、請求項１３の発明では、請求項１乃至請求項１２の発明を一体に構成しており、小型で安価な信頼性の高い液圧操作装置を提供することができる。
【図面の簡単な説明】
【図１】本発明に係る液圧操作装置の第１実施形態の構成を示す部分断面図
【図２】図１のＹ矢視図
【図３】本発明に係る液圧操作装置の第２実施形態の構成を示す断面図
【図４】本発明に係る液圧操作装置の第３実施形態の構成を示す断面図
【図５】本発明に係る液圧操作装置の第４実施形態の構成を示す断面図
【図６】本発明に係る液圧操作装置の第５実施形態の構成を示す断面図
【図７】本発明に係る液圧操作装置の第６実施形態の構成を示す断面図
【図８】本発明に係る液圧操作装置の第７実施形態の構成を示す断面図
【図９】本発明に係る液圧操作装置の第８実施形態の構成を示す断面図
【図１０】本発明に係る液圧操作装置の第９実施形態の構成を示す断面図
【図１１】本発明に係る液圧操作装置の第１０実施形態の構成を示す断面図
【図１２】従来の液圧操作装置の一例を示す断面図
【図１３】図１２のＹ矢視図
【図１４】図１２のＸ矢視図
【図１５】従来の液圧操作装置の液圧モニタ部分の構成を示す断面図
【符号の説明】
１０…液圧操作装置
２０…駆動部
２１…駆動シリンダ
２２…駆動ピストン
２３…駆動ロッド
２４…第１の液室
２５…第２の液室
２６…シリンダブロック
２７…流路
３０…液圧制御部
３０１…電磁弁
３０２…ソレノイド
４００…アキュムレータ
４０１…流路
５００…ポンプユニット
５０１、５０３…流路
５０２…低圧タンク
７００…圧力計
７０１…流路
６０…液圧モニタ
６１…ケース
６１ａ…シリンダ部
６２…ロッド
６２ａ…ピストン部
６２ｂ…ロッド端部
６３…高圧流路
６４…ばね
６５…板
６６…調整ねじ
６７…変位スイッチ
６８…低圧流路
６９…安全弁
６９ａ…ばね
７０…止め弁
７２…調整ねじ
７２ａ…調整ねじのシート部
７３…絞り
７４…逆止弁
７４ａ…ばね
７４ｂ…シート部
７５…試験ポート
７５ａ…絞り
７６…シール材
７７…絞り弁
７８…逆止弁
７８ａ…絞り流路
８０…液圧ゲージ
８１…ベース
８２…目盛り板
８２ａ、８２ｃ…目盛り
８２ｂ…目盛り板側面
８２ｄ…ガイド
８３…軸受け
８４…指示板
８４ａ…板
８４ｂ…結合部
８４ｃ、８４ｄ…指示部
８４ｅ…ピニオンギア
８５…連結棒
８５ａ…ラック
８５ｂ…摺動部
８６…カバー
８７…ワイヤ
８８…ばね
８９…第１のばね
９０…第２のばね
９１…ストッパー
９２…止め弁
【図１】
0004373593.tif 000002
【図２】
0004373593.tif 000003
【図３】
0004373593.tif 000004
【図４】
0004373593.tif 000005
【図５】
0004373593.tif 000006
【図６】
0004373593.tif 000007
【図７】
0004373593.tif 000008
【図８】
0004373593.tif 000009
【図９】
0004373593.tif 000010
【図１０】
0004373593.tif 000011
【図１１】
0004373593.tif 000012
【図１２】
0004373593.tif 000013
【図１３】
0004373593.tif 000014
【図１４】
0004373593.tif 000015
【図１５】
0004373593.tif 000016